(57)【特許請求の範囲】
【請求項１】
循環ポンプを有する風呂加熱回路と、給湯回路とを備えた強制循環式風呂給湯装置において、給湯回路から風呂加熱回路への注湯を行なう連結管を設け、風呂サーミスタの検出温度Ｔと注湯設定温度Ｔｏ  の差が絶対値で所定温度差αの範囲内である時は、風呂戻り管と風呂往き管の両方に流通する両搬送が行なわれていると判定し、逆に風呂サーミスタの検出温度Ｔと注湯設定温度Ｔｏ  の差が絶対値で所定温度差αの範囲を超えている場合は、風呂往き管のみに流通する片搬送であると判定して、注湯の途中から注湯終了時まで循環ポンプを運転することを特徴とする強制循環式風呂給湯装置。
【請求項２】
循環ポンプを有する風呂加熱回路と、給湯回路とを備えた強制循環式風呂給湯装置において、給湯回路から風呂加熱回路への注湯を行なう連結管を設け、風呂水流スイッチの積算オン時間ｔｍ  が予め定めた設定値ｔｍ１以上である場合は、風呂戻り管と風呂往き管の両方に流通する両搬送が行なわれていると判定し、逆に風呂水流スイッチの積算オン時間ｔｍ  が予め定めた設定値ｔｍ１未満である場合は、風呂往き管のみに流通する片搬送であると判定して、注湯の途中から注湯終了時まで循環ポンプを運転することを特徴とする強制循環式風呂給湯装置。
【請求項３】
給湯回路から風呂加熱回路への注湯を行なう連結管の一端を、循環ポンプの水室壁に開口させたことを特徴とする請求項１または２記載の強制循環式風呂給湯装置。
【発明の詳細な説明】
【０００１】
【発明の属する技術分野】
本発明は、風呂加熱回路と給湯回路を有し、流路特に、少なくとも風呂加熱回路の流路に循環ポンプを備えた強制循環式風呂給湯装置に関する。
【０００２】
【従来の技術】
従来の強制循環式風呂給湯装置特に、少なくとも風呂加熱回路の流路に循環ポンプを備えた強制循環式風呂給湯装置においては、循環ポンプの自給不良時に、循環ポンプへの呼び水を自動的に行なっていた。
従来の強制循環式風呂給湯装置においては、図４に示すように、呼び水を開始すると、単に注湯を開始し、所定量が浴槽及び循環回路に注湯されて注湯が終了したことを確認して、呼び水を終了させて水流スイッチをオフさせ、水流スイッチの故障の有無を検出した後、循環ポンプをオンさせて水流スイッチが連続して所定時間（例えば、４５秒）連続してオンすることを確認し、それにより循環ポンプの動作が正常であることを確認し、循環ポンプをオフさせて循環ポンプを運転可能と判定して待機状態に移行する。
例えば、特開平０２−１７６３４８号公報に記載されたものは、追焚運転スイッチをオンさせると、追焚燃焼の前に循環ポンプの呼び水を行なうものが記載されている。
また、特開平０７−１０３５７１号公報に記載されたものは、呼び水スイッチをオンさせると、給湯回路と風呂回路との連結回路の開閉弁を開き、呼び水を開始する物が記載されている。
【０００３】
【発明が解決しようとする課題】
しかしながら、上記従来の強制循環式風呂給湯装置には次のような問題があった。
近来、コスト削減の要求に応えるための構造変更等によって、給湯装置内の配管の取り回しや循環ポンプの吸い込み側の形状が自給しにくい構造となり、長い配管構造、配管の屈曲構造、配管高さ等から所定量（例えば、１０ｌ）注湯の自動呼び水を行なっても、注湯流量が少ない（例えば、７ｌ／分以下）場合は、風呂往き管路と風呂戻り管路の両方に湯が流れる両搬送とならず、一方の管路（特に風呂戻り管路）のみに湯が流れる片搬送注湯となり、所定量（１０ｌ）注湯の自動呼び水終了後、循環ポンプや戻り配管に空気が逆流し、循環ポンプの運転を行なっても自給しないという問題があった。
【０００４】
本発明の目的は、呼び水及び循環ポンプの自給を確実に行なうことのできる強制循環式風呂給湯装置を提供することである。
【０００５】
【課題を解決するための手段】
上記目的を達成するために本発明の強制循環式風呂給湯装置は、循環ポンプを有する風呂加熱回路と、給湯回路とを備えた強制循環式風呂給湯装置において、給湯回路から風呂加熱回路への注湯を行なう連結管を設け、風呂サーミスタの検出温度Ｔと注湯設定温度Ｔｏ  の差が絶対値で所定温度差αの範囲内である時は、風呂戻り管と風呂往き管の両方に流通する両搬送が行なわれていると判定し、逆に風呂サーミスタの検出温度Ｔと注湯設定温度Ｔｏ  の差が絶対値で所定温度差αの範囲を超えている場合は、風呂往き管のみに流通する片搬送であると判定して、注湯の途中から注湯終了時まで循環ポンプを運転することにより、ポンプ自給不良時や、風呂自動運転時の循環判定を行なう場合に、両搬送か片搬送のどちらが行なわれているかの循環ポンプ呼び水の注湯状態によって循環ポンプの運転を追加することにより、循環ポンプへの呼び水が有効に作用するようにできる。
特に、注湯量が少ない場合に有効である。
さらに、注湯される湯温によって両搬送か片搬送のどちらが行なわれているかの循環ポンプ呼び水の注湯状態を判定しているから、特別なセンサ等を不要として構成が簡単である。
また、循環ポンプを有する風呂加熱回路と、給湯回路とを備えた強制循環式風呂給湯装置において、給湯回路から風呂加熱回路への注湯を行なう連結管を設け、風呂水流スイッチの積算オン時間ｔｍ  が予め定めた設定値ｔｍ１以上である場合は、風呂戻り管と風呂往き管の両方に流通する両搬送が行なわれていると判定し、逆に風呂水流スイッチの積算オン時間ｔｍ  が予め定めた設定値ｔｍ１未満である場合は、風呂往き管のみに流通する片搬送であると判定して、注湯の途中から注湯終了時まで循環ポンプを運転することにより、ポンプ自給不良時や、風呂自動運転時の循環判定を行なう場合に、両搬送か片搬送のどちらが行なわれているかの循環ポンプ呼び水の注湯状態によって循環ポンプの運転を追加することにより、循環ポンプへの呼び水が有効に作用するようにできる。
特に、注湯量が少ない場合に有効である。
さらに、注湯される湯温によって両搬送か片搬送のどちらが行なわれているかの循環ポンプ呼び水の注湯状態を判定しているから、特別なセンサ等を不要として構成が簡単である。
さらに、給湯回路から風呂加熱回路への注湯を行なう連結管の一端を、循環ポンプの水室壁に開口させたことにより、ポンプ自給ケーシングに開口しているから、ポンプ回路による注湯回路への圧力の影響が少ないものであり、給水管への圧力の影響は無いものである。
【０００６】
【発明の実施の形態】
図３において、本発明を適用する強制循環式風呂給湯装置について説明する。強制循環式風呂給湯装置は、風呂加熱装置１と給湯加熱装置２を備えており、風呂加熱装置１は、風呂用熱交換器１０と、風呂用熱交換器１０の入口側に接続され、風呂水流スイッチ２６と風呂サーミスタ２７及び循環ポンプ９を有する風呂戻り管３と、風呂用熱交換器１０の出口側に接続され、空焚き安全装置２８を有する風呂往き管４と、風呂用燃焼管１１とを備えている。
【０００７】
また、給湯加熱装置２は、給湯用熱交換器２０と、給湯用熱交換器２０の入口側に接続され、水フィルタ３０と給水温度センサ３１及び給湯入水温度センサ３４を有する給水管５と、給湯用熱交換器２０の出口側に接続され、給湯着火安全装置３５と給湯缶体サーミスタ３６と水量調整弁３７及び給湯出湯サーミスタ３８を有する給湯管６と、給水管５と給湯管６に連通し、バイパス水量調整弁３３を有するバイパス管７と、給湯用燃焼管２１とを備えており、風呂戻り管３と給湯管６とを連通させ、循環ポンプ９の自給ケーシングに開口している即ち循環ポンプ９の水室に直接開口している連結管（注湯管）８を設け、該連結管８には逆止弁８１と、注湯電磁弁８２と、注湯水量センサ８３とが配設されている。
【０００８】
風呂用燃焼管１１と給湯用燃焼管２１は、それぞれ分配室１１０と２１０に臨ませて配設され、分配室１１０には風呂ガス電磁弁１５が、分配室２１０には給湯能力切換電磁弁１６、１７、１８が設けられており、分配室１１０、２１０に接続されたガス供給管１２に、主ガス電磁弁１３とガス調整弁１４が設けられている。
【０００９】
風呂加熱装置１と給湯加熱装置２は、共通のウィンドボックスに接続され、ウィンドボックスには回転数センサ１９０を有するファン１９が設けられている。また、風呂用燃焼管１１と給湯用燃焼管２１には、それぞれ点火プラグ１００と２００及び立ち消え安全装置の検出電極１０１と２０１が設けられており、風呂加熱装置１と給湯加熱装置２には過熱防止装置１０２と２０２がそれぞれ設けられている。
風呂戻り管３には水抜き栓２２が、風呂往き管４には水抜き栓２３が、給水管５には水抜き栓２４が、給湯管６には水抜き栓２５が設けられている。
また、所定位置に複数の凍結防止ヒータ３９〜４２が設けられており、コントロールボックス４３が設置されている。
【００１０】
図１において、本発明の第１実施例について説明する。
循環ポンプの呼び水を開始すると、注湯が開始され、給湯加熱装置２の給湯管６から風呂戻り管３を介して浴槽に注湯され、注湯されるべき残りの量が予め定めた第１設定量Ｑ１  （例えば、１０ｌ）であると、風呂サーミスタ２７の検出する注湯温度Ｔと注湯設定温度Ｔｏ  との差（Ｔ−Ｔｏ  ）が、絶対値で予め定めた所定温度差α（例えば、α＝５度）以下である（ＩＴ−Ｔｏ  Ｉ≦α＝５度）か否かを判定する。
【００１１】
風呂サーミスタ２７の検出する注湯温度Ｔと注湯設定温度Ｔｏ  の差（Ｔ−Ｔｏ  ）が、絶対値で予め定めた所定温度差α（例えば、α＝５度）以下である（ＩＴ−Ｔｏ  Ｉ≦α＝５度）場合には、風呂サーミスタ２７の検出温度Ｔと注湯設定温度Ｔｏ  が近くなり、給湯管６からの出湯と風呂戻り管３内の戻り湯とが十分混合したものと認められる、即ち給湯管６からの出湯量が十分であるから、戻り管と往き管の両方の通水即ち両搬送が行なわれて風呂水流スイッチ２６がオンしていることになる。
【００１２】
従って、注湯温度Ｔと注湯設定温度Ｔｏ  の差（Ｔ−Ｔｏ  ）が、絶対値で予め定めた所定温度差α（α＝５度）以下である（ＩＴ−Ｔｏ  Ｉ≦α＝５度）場合は、所定量が浴槽及び循環回路に注湯されて注湯が終了したことを確認して、呼び水注湯を終了させて、風呂水流スイッチ２６をオフさせた後、循環ポンプ９を起動し、風呂水流スイッチ２６が予め定めた所定時間ｔ（例えば、ｔ＝４５秒）連続してオンすることを確認し、循環ポンプ９をオフさせて循環ポンプ９を運転可能と判定して待機状態に移行する。
【００１３】
なお、注湯終了時に風呂水流スイッチ２６がオフしない場合は、風呂水流スイッチ２６が故障しているものと判定し、また、循環ポンプ９を起動した時に風呂水流スイッチ２６が所定時間ｔ（ｔ＝４５秒）連続してオンしない場合は、循環ポンプ９が故障しているものと判定し、循環ポンプ９を運転不可能と判定する。
【００１４】
一方、風呂サーミスタ２７の検出温度Ｔと注湯設定温度Ｔｏ  の差（Ｔ−Ｔｏ  ）が、絶対値で所定温度差α（例えば、５度）を超えている（ＩＴ−Ｔｏ  Ｉ＞α＝５度）場合、風呂サーミスタ２７の検出温度Ｔと注湯設定温度Ｔｏ  との差が大きいということは、給湯管６からの出湯量が十分でなく、給湯管６からの出湯と風呂戻り管３内の戻り湯とが十分混合されておらず、空気が混入されていると認められるから、風呂戻り管３のみの一方の通水即ち片搬送が行なわれて風呂水流スイッチ２６がオンしないことになる。
【００１５】
検出温度Ｔと注湯設定温度Ｔｏ  の差（Ｔ−Ｔｏ  ）が、絶対値で所定温度差α（例えば、５度）を超えている（ＩＴ−Ｔｏ  Ｉ＞α＝５度）場合、注湯されるべき残りの量が予め定めた第２設定量Ｑ２  （例えば、５ｌ）になったら、循環ポンプ９をオンさせて注湯終了時まで循環ポンプ９を運転し、風呂往き管４にも水を回して、呼び水注湯終了後に循環ポンプ９に空気が逆流することを防止し、確実にポンプによる強制循環を行なう。
【００１６】
注湯終了時に循環ポンプ９の運転を停止させ、呼び水注湯を終了させて、風呂水流スイッチ２６をオフさせた後、循環ポンプ９を起動し、風呂水流スイッチ２６が予め定めた所定時間ｔ（例えば、ｔ＝４５秒）連続してオンすることを確認し、循環ポンプ９をオフさせて循環ポンプ９を運転可能と判定して待機状態に移行する。
【００１７】
この構成により、ポンプ自給不良時や、風呂自動運転時の循環判定を行なう場合に、両搬送か片搬送のどちらが行なわれているかの循環ポンプ呼び水の注湯状態によって循環ポンプの運転を追加することにより、循環ポンプへの呼び水が有効に作用するようにできる。
特に、注湯量が少ない場合に有効である。
また、注湯管即ち連結管８は、ポンプ自給ケーシングに開口しているから、ポンプ回路による注湯回路への圧力の影響が少ないものであり、給水管への圧力の影響は無いものである。
さらに、注湯される湯温によって両搬送か片搬送のどちらが行なわれているかの循環ポンプ呼び水の注湯状態を判定しているから、特別なセンサ等を不要として構成が簡単である。
この判定方法のものでは、水流スイッチの無いタイプのものにも利用することができる。
【００１８】
図２を参照して、第２実施例について説明する。
第２実施例においては、循環ポンプ呼び水の注湯状態の判定を、風呂水流スイッチ２６の積算オン時間ｔｍ  により行なうものである。
即ち、循環ポンプの呼び水を開始すると、注湯が開始され、給湯加熱装置２の給湯管６から風呂戻り管３を介して浴槽に注湯され、注湯されるべき残りの量が予め定めた第１設定量Ｑ１  （例えば、１０ｌ）であると、風呂水流スイッチ２６の積算オン時間ｔｍ  が予め定めた設定値ｔｍ１（例えば、７秒）に達すると、給湯管６からの出湯量が十分であるから、戻り管と往き管の両方の通水即ち両搬送が行なわれて所定時間ｔｍ１の間風呂水流スイッチ２６がオンしていることになり、所定量が浴槽及び循環回路に注湯されて注湯が終了したことを確認して、呼び水注湯を終了させて、風呂水流スイッチ２６をオフさせた後、循環ポンプ９を起動し、風呂水流スイッチ２６が予め定めた所定時間ｔ（例えば、ｔ＝４５秒）連続してオンすることを確認し、循環ポンプ９をオフさせて循環ポンプ９を運転可能と判定して待機状態に移行する。
【００１９】
風呂水流スイッチ２６の積算オン時間ｔｍ  が予め定めた設定値ｔｍ１（７秒）に達しない時は、風呂戻り管４への片搬送であると判定し、呼び水残り５ｌから循環ポンプ９を駆動し、注湯終了時まで循環ポンプ９を運転して風呂往き管３にも水を循環させ、呼び水注湯終了後の循環ポンプ９への空気の逆流を防ぎ、確実に循環判定を行なうことができる。
呼び水注湯終了後、風呂水流スイッチ２６をオフさせた後、循環ポンプ９を起動し、風呂水流スイッチ２６が予め定めた所定時間ｔ（例えば、ｔ＝４５秒）連続してオンすることを確認し、循環ポンプ９をオフさせて循環ポンプ９を運転可能と判定して待機状態に移行する。
【００２０】
この構成によると、ポンプ自給不良時や、風呂自動運転時の循環判定を行なう場合に、両搬送か片搬送のどちらが行なわれているかの循環ポンプ呼び水の注湯状態によって循環ポンプの運転を追加することにより、循環ポンプへの呼び水が有効に作用するようにできる。
特に、注湯量が少ない場合に有効である。
また、注湯管即ち連結管８は、ポンプ自給ケーシングに開口しているから、ポンプ回路による注湯回路への圧力の影響が少ないものであり、給水管への圧力の影響は無いものである。
さらに、風呂水流スイッチ２６によって両搬送か片搬送のどちらが行なわれているかの循環ポンプ呼び水の注湯状態を直接的に判定しているから、確実に判定できるとともに、特別なセンサ等を不要として構成が簡単である。
【００２１】
【発明の効果】
本発明は、上述のとおり構成されているから次に述べる効果を奏する。
循環ポンプを有する風呂加熱回路と、給湯回路とを備えた強制循環式風呂給湯装置において、給湯回路から風呂加熱回路への注湯を行なう連結管を設け、風呂サーミスタの検出温度Ｔと注湯設定温度Ｔｏ  の差が絶対値で所定温度差αの範囲内である時は、風呂戻り管と風呂往き管の両方に流通する両搬送が行なわれていると判定し、逆に風呂サーミスタの検出温度Ｔと注湯設定温度Ｔｏ  の差が絶対値で所定温度差αの範囲を超えている場合は、風呂往き管のみに流通する片搬送であると判定して、注湯の途中から注湯終了時まで循環ポンプを運転することにより、ポンプ自給不良時や、風呂自動運転時の循環判定を行なう場合に、両搬送か片搬送のどちらが行なわれているかの循環ポンプ呼び水の注湯状態によって循環ポンプの運転を追加することにより、循環ポンプへの呼び水が有効に作用するようにできる。
特に、注湯量が少ない場合に有効である。
さらに、注湯される湯温によって両搬送か片搬送のどちらが行なわれているかの循環ポンプ呼び水の注湯状態を判定しているから、特別なセンサ等を不要として構成が簡単である。
また、循環ポンプを有する風呂加熱回路と、給湯回路とを備えた強制循環式風呂給湯装置において、給湯回路から風呂加熱回路への注湯を行なう連結管を設け、風呂水流スイッチの積算オン時間ｔｍ  が予め定めた設定値ｔｍ１以上である場合は、風呂戻り管と風呂往き管の両方に流通する両搬送が行なわれていると判定し、逆に風呂水流スイッチの積算オン時間ｔｍ  が予め定めた設定値ｔｍ１未満である場合は、風呂往き管のみに流通する片搬送であると判定して、注湯の途中から注湯終了時まで循環ポンプを運転することにより、ポンプ自給不良時や、風呂自動運転時の循環判定を行なう場合に、両搬送か片搬送のどちらが行なわれているかの循環ポンプ呼び水の注湯状態によって循環ポンプの運転を追加することにより、循環ポンプへの呼び水が有効に作用するようにできる。
特に、注湯量が少ない場合に有効である。
さらに、注湯される湯温によって両搬送か片搬送のどちらが行なわれているかの循環ポンプ呼び水の注湯状態を判定しているから、特別なセンサ等を不要として構成が簡単である。
さらに、給湯回路から風呂加熱回路への注湯を行なう連結管の一端を、循環ポンプの水室壁に開口させたことにより、ポンプ自給ケーシングに開口しているから、ポンプ回路による注湯回路への圧力の影響が少ないものであり、給水管への圧力の影響は無いものである。
【図面の簡単な説明】
【図１】本発明の第１実施例を示すフローチャートである。
【図２】本発明の第２実施例を示すフローチャートである。
【図３】本発明を適用する強制循環式風呂給湯装置の概略構成図である。
【図４】従来の制御動作を示すフローチャートである。
【符号の説明】
１  風呂加熱装置、２  給湯加熱装置、３  風呂戻り管、４  風呂往き管
５  給水管、６  給湯管、８  連結管（注湯管）、９  循環ポンプ
２６  風呂水流スイッチ、２７  風呂サーミスタ
【図１】
0003613582.tif 000002
【図２】
0003613582.tif 000003
【図３】
0003613582.tif 000004
【図４】
0003613582.tif 000005